【手続補正書】
【提出日】平成27年7月22日(2015.7.22)
【手続補正１】
【補正対象書類名】特許請求の範囲
【補正対象項目名】全文
【補正方法】変更
【補正の内容】
【特許請求の範囲】
【請求項１】
路線上の任意の地点であって時刻表を生成すべき指定地点の位置情報を取得する取得部と、
前記指定地点を通過する交通機関の通過時刻を特定する時刻特定部と、
前記特定された通過時刻を含む時刻表を生成する時刻表生成部と、
前記生成された時刻表を出力する時刻表出力部と、を有し、
前記時刻特定部は、前記指定地点を通過する前記交通機関の最遅通過時刻、及び最早通過時刻の少なくとも一方を特定し、
前記時刻表生成部は、前記最遅通過時刻、及び前記最早通過時刻の少なくとも一方を含む前記時刻表を生成する
ことを特徴とする時刻表生成装置。
【請求項２】
請求項１に記載の時刻表生成装置であって、
前記時刻特定部は、前記指定地点を通過する前記交通機関の定刻通過時刻を特定し、
前記時刻表生成部は、前記定刻通過時刻を含む前記時刻表を生成し、
前記時刻表出力部は、前記定刻通過時刻に、前記最遅通過時刻、及び前記最早通過時刻の少なくとも一方を関連付けて表示する時刻表を出力する
ことを特徴とする時刻表生成装置。
【請求項３】
請求項１又は２に記載の時刻表生成装置であって、
前記取得部は、前記指定地点を通過する指定路線の情報を取得し、
前記時刻特定部は、前記指定地点の位置情報と、前記指定路線上を運行する交通機関が通過する通過地点であって前記指定地点の前及び後の通過地点の位置情報と、前記指定地点の前及び後の少なくとも一方の前記通過地点を通過する前記交通機関の通過時刻の情報とに基づいて、前記指定地点を通過する前記交通機関の通過時刻を特定する
ことを特徴とする時刻表生成装置。
【請求項４】
請求項１又は２に記載の時刻表生成装置であって、
前記時刻特定部は、前記指定地点を通過する上り及び下りの少なくとも一方の交通機関の通過時刻を特定する
ことを特徴とする時刻表生成装置。
【請求項５】
請求項４に記載の時刻表生成装置であって、
前記時刻特定部は、前記指定地点を通過する上り及び下りの交通機関の通過時刻を特定し、
前記時刻表出力部は、前記上りの通過時刻と前記下りの通過時刻とを異なる表示とした一つの時刻表を出力する、又は、前記上りの通過時刻と前記下りの通過時刻とを別の時刻表として出力する
ことを特徴とする時刻表生成装置。
【請求項６】
請求項３に記載の時刻表生成装置であって、
前記取得部は、前記指定路線を運行する交通機関のダイアグラムを含む第一の画面を出力し、前記第一の画面上で前記指定地点の指定を受け付ける、又は、路線の情報及び地図情報を含む第二の画面を出力し、前記第二の画面上で前記指定路線の指定及び前記指定地点の指定を受け付ける
ことを特徴とする時刻表生成装置。
【請求項７】
時刻表生成装置における時刻表生成方法であって、
路線上の任意の地点であって時刻表を生成すべき指定地点の位置情報を取得する取得ステップと、
前記指定地点を通過する交通機関の通過時刻を特定する時刻特定ステップと、
前記特定された通過時刻を含む時刻表を生成する時刻表生成ステップと、
前記生成された時刻表を出力する時刻表出力ステップと、を含み、
前記時刻特定ステップは、前記指定地点を通過する前記交通機関の最遅通過時刻、及び最早通過時刻の少なくとも一方を特定し、
前記時刻表生成ステップは、前記最遅通過時刻、及び前記最早通過時刻の少なくとも一方を含む前記時刻表を生成する
ことを特徴とする時刻表生成方法。
【請求項８】
コンピューターを時刻表生成装置として機能させるプログラムであって、
路線上の任意の地点であって時刻表を生成すべき指定地点の位置情報を取得する取得部と、
前記指定地点を通過する交通機関の通過時刻を特定する時刻特定部と、
前記特定された通過時刻を含む時刻表を生成する時刻表生成部と、
前記生成された時刻表を出力する時刻表出力部として、前記コンピューターを機能させ、
前記時刻特定部は、前記指定地点を通過する前記交通機関の最遅通過時刻、及び最早通過時刻の少なくとも一方を特定し、
前記時刻表生成部は、前記最遅通過時刻、及び前記最早通過時刻の少なくとも一方を含む前記時刻表を生成する
ことを特徴とするプログラム。
【請求項９】
ユーザー端末と時刻表生成装置とを有する時刻表生成システムであって、
前記ユーザー端末は、
路線上の任意の地点であって時刻表を生成すべき指定地点の位置情報の入力を受け付ける入力部と、
前記入力された指定地点の位置情報を前記時刻表生成装置に送信する送信部と、
前記指定地点を通過する交通機関の通過時刻を含む時刻表を前記時刻表生成装置から受信する受信部と、
前記受信された時刻表を出力する出力部と、
を有し、
前記時刻表生成装置は、
前記ユーザー端末から前記指定地点の前記位置情報を取得する取得部と、
前記指定地点を通過する前記交通機関の前記通過時刻を特定する時刻特定部と、
前記特定された通過時刻を含む前記時刻表を生成する時刻表生成部と、
前記生成された時刻表を前記ユーザー端末に送信する時刻表出力部と、
を有し、
前記時刻特定部は、前記指定地点を通過する前記交通機関の最遅通過時刻、及び最早通過時刻の少なくとも一方を特定し、
前記時刻表生成部は、前記最遅通過時刻、及び前記最早通過時刻の少なくとも一方を含む前記時刻表を生成する
ことを特徴とする時刻表生成システム。
【請求項１０】
ユーザー端末と時刻表生成装置とを有する時刻表生成システムにおける時刻表生成方法であって、
前記ユーザー端末が、路線上の任意の地点であって時刻表を生成すべき指定地点の位置情報の入力を受け付ける入力ステップと、
前記ユーザー端末が、前記入力された指定地点の位置情報を前記時刻表生成装置に送信する送信ステップと、
前記時刻表生成装置が、前記ユーザー端末から前記指定地点の前記位置情報を取得する取得ステップと、
前記時刻表生成装置が、前記指定地点を通過する交通機関の通過時刻を特定する時刻特定ステップと、
前記時刻表生成装置が、前記特定された通過時刻を含む時刻表を生成する時刻表生成ステップと、
前記時刻表生成装置が、前記生成された時刻表を前記ユーザー端末に送信する時刻表出力ステップと、
前記ユーザー端末が、前記時刻表を前記時刻表生成装置から受信する受信ステップと、
前記ユーザー端末が、前記受信された時刻表を出力する出力ステップと、を含み、
前記時刻特定ステップは、前記指定地点を通過する前記交通機関の最遅通過時刻、及び最早通過時刻の少なくとも一方を特定し、
前記時刻表生成ステップは、前記最遅通過時刻、及び前記最早通過時刻の少なくとも一方を含む前記時刻表を生成する
ことを特徴とする時刻表生成方法。
【請求項１１】
時刻表生成装置と通信するユーザー端末であって、
路線上の任意の地点であって時刻表を生成すべき指定地点の位置情報の入力を受け付ける入力部と、
前記入力された指定地点の位置情報を前記時刻表生成装置に送信する送信部と、
前記指定地点を通過する交通機関の通過時刻を含む時刻表を前記時刻表生成装置から受信する受信部と、
前記受信された時刻表を出力する出力部と、を有し、
前記受信部は、前記指定地点を通過する前記交通機関の最遅通過時刻、及び最早通過時刻の少なくとも一方を含む前記時刻表を受信する
ことを特徴とするユーザー端末。
【手続補正２】
【補正対象書類名】明細書
【補正対象項目名】０００８
【補正方法】変更
【補正の内容】
【０００８】
上記の課題を解決する本発明の第一の態様は、時刻表生成装置であって、路線上の任意の地点であって時刻表を生成すべき指定地点の位置情報を取得する取得部と、前記指定地点を通過する交通機関の通過時刻を特定する時刻特定部と、前記特定された通過時刻を含む時刻表を生成する時刻表生成部と、前記生成された時刻表を出力する時刻表出力部と、を有し、前記時刻特定部は、前記指定地点を通過する前記交通機関の最遅通過時刻、及び最早通過時刻の少なくとも一方を特定し、前記時刻表生成部は、前記最遅通過時刻、及び前記最早通過時刻の少なくとも一方を含む前記時刻表を生成することを特徴とする。
【手続補正３】
【補正対象書類名】明細書
【補正対象項目名】０００９
【補正方法】変更
【補正の内容】
【０００９】
上記の時刻表生成装置において、前記時刻特定部は、前記指定地点を通過する前記交通機関の定刻通過時刻を特定し、前記時刻表生成部は、前記定刻通過時刻を含む前記時刻表を生成し、前記時刻表出力部は、前記定刻通過時刻に、前記最遅通過時刻、及び前記最早通過時刻の少なくとも一方を関連付けて表示する時刻表を出力してもよい。
【手続補正４】
【補正対象書類名】明細書
【補正対象項目名】００１０
【補正方法】変更
【補正の内容】
【００１０】
上記の時刻表生成装置において、前記取得部は、前記指定地点を通過する指定路線の情報を取得し、前記時刻特定部は、前記指定地点の位置情報と、前記指定路線上を運行する交通機関が通過する通過地点であって前記指定地点の前及び後の通過地点の位置情報と、前記指定地点の前及び後の少なくとも一方の前記通過地点を通過する前記交通機関の通過時刻の情報とに基づいて、前記指定地点を通過する前記交通機関の通過時刻を特定してもよい。
【手続補正５】
【補正対象書類名】明細書
【補正対象項目名】００１１
【補正方法】変更
【補正の内容】
【００１１】
上記の時刻表生成装置において、前記時刻特定部は、前記指定地点を通過する上り及び下りの少なくとも一方の交通機関の通過時刻を特定してもよい。
【手続補正６】
【補正対象書類名】明細書
【補正対象項目名】００１２
【補正方法】変更
【補正の内容】
【００１２】
上記の時刻表生成装置において、前記時刻特定部は、前記指定地点を通過する上り及び下りの交通機関の通過時刻を特定し、前記時刻表出力部は、前記上りの通過時刻と前記下りの通過時刻とを異なる表示とした一つの時刻表を出力する、又は、前記上りの通過時刻と前記下りの通過時刻とを別の時刻表として出力してもよい。
【手続補正７】
【補正対象書類名】明細書
【補正対象項目名】００１３
【補正方法】変更
【補正の内容】
【００１３】
上記の時刻表生成装置において、前記取得部は、前記指定路線を運行する交通機関のダイアグラムを含む第一の画面を出力し、前記第一の画面上で前記指定地点の指定を受け付ける、又は、路線の情報及び地図情報を含む第二の画面を出力し、前記第二の画面上で前記指定路線の指定及び前記指定地点の指定を受け付けてもよい。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
上記の課題を解決する本発明の他の態様は、時刻表生成装置における時刻表生成方法であって、路線上の任意の地点であって時刻表を生成すべき指定地点の位置情報を取得する取得ステップと、前記指定地点を通過する交通機関の通過時刻を特定する時刻特定ステップと、前記特定された通過時刻を含む時刻表を生成する時刻表生成ステップと、前記生成された時刻表を出力する時刻表出力ステップと、を含み、前記時刻特定ステップは、前記指定地点を通過する前記交通機関の最遅通過時刻、及び最早通過時刻の少なくとも一方を特定し、前記時刻表生成ステップは、前記最遅通過時刻、及び前記最早通過時刻の少なくとも一方を含む前記時刻表を生成することを特徴とする。
【手続補正１０】
【補正対象書類名】明細書
【補正対象項目名】００１６
【補正方法】変更
【補正の内容】
【００１６】
上記の課題を解決する本発明のさらに他の態様は、コンピューターを時刻表生成装置として機能させるプログラムであって、路線上の任意の地点であって時刻表を生成すべき指定地点の位置情報を取得する取得部と、前記指定地点を通過する交通機関の通過時刻を特定する時刻特定部と、前記特定された通過時刻を含む時刻表を生成する時刻表生成部と、前記生成された時刻表を出力する時刻表出力部として、前記コンピューターを機能させ、前記時刻特定部は、前記指定地点を通過する前記交通機関の最遅通過時刻、及び最早通過時刻の少なくとも一方を特定し、前記時刻表生成部は、前記最遅通過時刻、及び前記最早通過時刻の少なくとも一方を含む前記時刻表を生成することを特徴とする。
【手続補正１１】
【補正対象書類名】明細書
【補正対象項目名】００１７
【補正方法】変更
【補正の内容】
【００１７】
上記の課題を解決する本発明のさらに他の態様は、ユーザー端末と時刻表生成装置とを有する時刻表生成システムであって、前記ユーザー端末は、路線上の任意の地点であって時刻表を生成すべき指定地点の位置情報の入力を受け付ける入力部と、前記入力された指定地点の位置情報を前記時刻表生成装置に送信する送信部と、前記指定地点を通過する交通機関の通過時刻を含む時刻表を前記時刻表生成装置から受信する受信部と、前記受信された時刻表を出力する出力部と、を有し、前記時刻表生成装置は、前記ユーザー端末から前記指定地点の前記位置情報を取得する取得部と、前記指定地点を通過する前記交通機関の前記通過時刻を特定する時刻特定部と、前記特定された通過時刻を含む前記時刻表を生成する時刻表生成部と、前記生成された時刻表を前記ユーザー端末に送信する時刻表出力部と、を有し、前記時刻特定部は、前記指定地点を通過する前記交通機関の最遅通過時刻、及び最早通過時刻の少なくとも一方を特定し、前記時刻表生成部は、前記最遅通過時刻、及び前記最早通過時刻の少なくとも一方を含む前記時刻表を生成することを特徴とする。
【手続補正１２】
【補正対象書類名】明細書
【補正対象項目名】００１８
【補正方法】変更
【補正の内容】
【００１８】
上記の課題を解決する本発明のさらに他の態様は、ユーザー端末と時刻表生成装置とを有する時刻表生成システムにおける時刻表生成方法であって、前記ユーザー端末が、路線上の任意の地点であって時刻表を生成すべき指定地点の位置情報の入力を受け付ける入力ステップと、前記ユーザー端末が、前記入力された指定地点の位置情報を前記時刻表生成装置に送信する送信ステップと、前記時刻表生成装置が、前記ユーザー端末から前記指定地点の前記位置情報を取得する取得ステップと、前記時刻表生成装置が、前記指定地点を通過する交通機関の通過時刻を特定する時刻特定ステップと、前記時刻表生成装置が、前記特定された通過時刻を含む時刻表を生成する時刻表生成ステップと、前記時刻表生成装置が、前記生成された時刻表を前記ユーザー端末に送信する時刻表出力ステップと、前記ユーザー端末が、前記時刻表を前記時刻表生成装置から受信する受信ステップと、前記ユーザー端末が、前記受信された時刻表を出力する出力ステップと、を含み、前記時刻特定ステップは、前記指定地点を通過する前記交通機関の最遅通過時刻、及び最早通過時刻の少なくとも一方を特定し、前記時刻表生成ステップは、前記最遅通過時刻、及び前記最早通過時刻の少なくとも一方を含む前記時刻表を生成することを特徴とする。
【手続補正１３】
【補正対象書類名】明細書
【補正対象項目名】００１９
【補正方法】変更
【補正の内容】
【００１９】
上記の課題を解決する本発明のさらに他の態様は、時刻表生成装置と通信するユーザー端末であって、路線上の任意の地点であって時刻表を生成すべき指定地点の位置情報の入力を受け付ける入力部と、前記入力された指定地点の位置情報を前記時刻表生成装置に送信する送信部と、前記指定地点を通過する交通機関の通過時刻を含む時刻表を前記時刻表生成装置から受信する受信部と、前記受信された時刻表を出力する出力部と、を有し、前記受信部は、前記指定地点を通過する前記交通機関の最遅通過時刻、及び最早通過時刻の少なくとも一方を含む前記時刻表を受信することを特徴とする。